(57)【要約】【課題】  ダブルアクティブ型ＤＳＴＮパネルにおいてフルドットパネルの駆動デューティ数を１００以上とする場合に、セグメントパネルにおける駆動電圧マージンを広く確保し、該セグメントパネルの駆動電圧設定を簡便なものとして、良好な表示品位を得ることのできる液晶表示パネルを提供すること。【解決手段】  電極が形成された２枚の透明基板間に第１の液晶を封入してなるフルドットパネル４２と、電極が形成された２枚の透明基板間に第２の液晶を封入してなるセグメントパネル４１とを積層配置し、両液晶パネルを駆動させることにより、フルドット表示とセグメント表示とが同時表示可能となるように構成された液晶表示パネルにおいて、フルドットパネル４２の駆動デューティ数を１００以上とし、第２の液晶の輝度の対電圧急峻性を第１の液晶よりも低下させる。【選択図】      図２
2006126677.tif 000002
【特許請求の範囲】
【請求項１】
電極が形成された２枚の透明基板間に第１の液晶を封入してなるフルドット表示用の第１液晶パネルと、電極が形成された２枚の透明基板間に第２の液晶を封入してなるセグメント表示用の第２液晶パネルとを積層配置し、両液晶パネルを駆動させることにより、フルドット表示とセグメント表示とが同時表示可能となるように構成された液晶表示パネルにおいて、
前記第１液晶パネルの駆動デューティ数が１００以上とされ、前記第２の液晶の輝度の対電圧急峻性が前記第１の液晶よりも低いことを特徴とする液晶表示パネル。
【請求項２】
電極が形成された２枚の透明基板間に第１の液晶を封入してなるフルドット表示用の第１液晶パネルと、電極が形成された２枚の透明基板間に第２の液晶を封入してなるセグメント表示用の第２液晶パネルとを積層配置し、両液晶パネルを駆動させることにより、フルドット表示とセグメント表示とが同時表示可能となるように構成された液晶表示パネルにおいて、
前記第１液晶パネルの駆動デューティ数が１００以上とされ、前記第２液晶パネルの駆動デューティ数が前記第１液晶パネルの駆動デューティ数の０．０２倍以上であることを特徴とする液晶表示パネル。
【請求項３】
前記第１の液晶の螺旋方向は前記第２の液晶の螺旋方向の逆である請求項１または２に記載の液晶表示パネル。
【発明の詳細な説明】
【技術分野】
【０００１】
本発明は、フルドットパネルとセグメントパネルを同時に駆動させるダブルアクティブ法を用いたＤＳＴＮ型の液晶表示パネルに関する。
【背景技術】
【０００２】
２枚の液晶パネルを積層させた構成を有するＤＳＴＮ（Double-layer Super Twisted Nematic）型の液晶表示パネルにおいては、一方の液晶パネルを表示用に駆動させて表示パネルとして用い、他方の液晶パネルは背景の着色効果を複屈折効果の補償により解消するための補償パネルとして用いるようになっている。
【０００３】
図７は前述のＤＳＴＮ型の液晶表示パネルの要部構成を示す断面図であり、２枚の透明基板１、１間に液晶層（図示せず）を封入した補償パネル２と、対向面にそれぞれ電極（電極端子を符号３で示す）が形成された２枚の透明基板１、１間に補償パネル２の液晶に対して逆ツイストの液晶からなる液晶層（図示せず）を封入した表示パネル４とを積層し、シール材６で固定して一体とし、この一体とされた両パネルの上下面にそれぞれ偏光板５、５を配設した構成とされている。
【０００４】
また、フルドットマトリクス表示と、フルドット表示ではないセグメント、アイコン、キャラクタドットなどの表示（以下、これらを総称して「セグメント表示」という）とを混在させた液晶表示パネルが必要な場合には、２枚の液晶パネルにそれぞれ電極パターンを設け、２枚の液晶パネルをともに表示用に駆動させて用いることもある（ダブルアクティブ法。以下、このダブルアクティブ法を用いる前記ＤＳＴＮ型の液晶表示パネルを「ダブルアクティブ型ＤＳＴＮパネル」という）。
【０００５】
図８はダブルアクティブ型ＤＳＴＮパネルの要部構成を示す断面図であり、対向面にそれぞれ電極（電極端子を符号３で示す）が形成された２枚の透明基板１、１間に液晶層（図示せず）を封入した表示パネル４１と、同じく対向面にそれぞれ電極（電極端子を符号３で示す）が形成された２枚の透明基板１、１間に補償パネル（表示パネル４１）の液晶に対して逆ツイストの液晶からなる液晶層（図示せず）を封入した表示パネル４とを積層し、シール材６で固定して一体とし、この一体とされた両パネルの上下面にそれぞれ偏光板５、５を配設した構成とされている。なお、両表示パネル４１、４２は互いに補償パネルの機能を有している。
【０００６】
例えば、殆どの表示内容はフルドットマトリクス表示で表示することが可能ではあるが、特殊なフォルムを有する意匠や細かい意匠はセグメント表示の方が良好に表示することができ、その場合には、前記ダブルアクティブ型ＤＳＴＮパネルを用いて、特殊なフォルムを有する意匠や細かい意匠をセグメント表示用の液晶パネル（以下、「セグメントパネル」という。）で表示し、その他の内容をフルドットマトリクス表示用の液晶パネル（以下、「フルドットパネル」という。）で表示することで、液晶表示パネルとしては良好な表示品質を得ることが可能となる。
【０００７】
また、フルドットマトリクス表示では、駆動デューティ数が高くなるため応答速度が遅くなるが、同一表示画面内における一部の表示内容に限り、高速応答が求められる場合がある。その場合、前記一部の表示内容のみを高速応答可能とするため低デューティ駆動とし、高デューティ駆動と低デューティ駆動とを組み合わせてダブルアクティブ型ＤＳＴＮパネルを用いることで、良好な液晶表示を得ることができる。
【０００８】
そして、このようなダブルアクティブ型ＤＳＴＮパネルは、例えば、インスツルメントパネルやナビゲーションシステム等の各種の車載用機器のディスプレイに広く使用されている（例えば、特許文献１）。
【０００９】
【特許文献１】特開２００３−３２２８４６号公報
【発明の開示】
【発明が解決しようとする課題】
【００１０】
ところで、前述のようなダブルアクティブ型ＤＳＴＮパネルにおいては、フルドットパネルは必然的に高デューティ駆動となるが、セグメントパネルは配線上の理由から低デューティ駆動であるほど望ましく、同一の液晶表示パネルに用いられる２枚の液晶パネル間においては、好適とされる駆動デューティに差が生じる。
【００１１】
そのため、例えば、フルドットパネルと同じ電圧マージンをセグメントパネルにおいても確保しようとすると、電圧を横軸、輝度を縦軸としたときの輝度の急峻性（シャープネス：以下、輝度の対電圧急峻性と称する）により、図９に示すように電圧ＯＮ時の輝度ばらつきが大きくなり、良好な表示品質を得ることができなかった。
【００１２】
逆に、フルドットパネルとセグメントパネルとの電圧のＯＮ時の輝度ばらつきを整えるとすると、図１０に示すように、セグメントパネルのＯＮ表示の駆動電圧マージンが狭くなるため、駆動電圧設定が非常に困難となり、大量生産には不向きであった。
【００１３】
なお、図９及び図１０はそれぞれ、フルドットパネルとセグメントパネルの電圧と輝度との関係を示すグラフである。ＯＮ表示は、少なくとも輝度の対電圧急峻性（シャープネス）がＶｔｈ５０％以上でないと表示画面の明るさがとれず、また、Ｖｔｈ９０％以下でないと、表示画面に白色を得ることができないので、前記図９及び図１０においては、急峻性（シャープネス）がＶｔｈ５０％とＶｔｈ９０％の電圧マージンを確認している。よって、各グラフの電圧値を示す３本の破線のうち、真中の破線が該パネルにおける駆動電圧の最適値を示すラインとなる（図１、図３において同じ）。
【００１４】
また、フルドット表示とセグメント表示とを同時に行う場合、双方の点灯輝度を揃える必要があるが、セグメントパネルの駆動電圧マージンが狭いため、輝度調整が難しく、表示品位を低下させるという問題もあった。
【００１５】
このような問題点は、特に、フルドットパネルの駆動デューティ数が大きければ大きいほど、特にフルドットパネルの駆動デューティ数が１００以上の時に顕著となる。またさらに、セグメントパネルにおける電圧マージンとして最低限必要であると考えられる０．１Ｖを確保するためには、フルドットパネルの駆動デューティ数は１００以上が必要であった。
【００１６】
そこで、本発明は、ダブルアクティブ型ＤＳＴＮパネルにおいてフルドットパネルの駆動デューティ数を１００以上とする場合に、セグメントパネルにおける駆動電圧マージンを広く確保し、該セグメントパネルの駆動電圧設定を簡便なものとして、良好な表示品位を得ることのできる液晶表示パネルを提供することを目的とするものである。
【課題を解決するための手段】
【００１７】
前述した目的を達成するため、本発明の第１の態様は、電極が形成された２枚の透明基板間に第１の液晶を封入してなるフルドット表示用の第１液晶パネルと、電極が形成された２枚の透明基板間に第２の液晶を封入してなるセグメント表示用の第２液晶パネルとを積層配置し、両液晶パネルを駆動させることにより、フルドット表示とセグメント表示とが同時に表示可能となるように構成された液晶表示パネルにおいて、前記第１液晶パネルの駆動デューティ数が１００以上とされ、前記第２の液晶の輝度の対電圧急峻性が前記第１の液晶よりも低い点を特徴としている。
【００１８】
ここで、駆動デューティ数とは、駆動条件におけるデューティ比の分母の数である。すなわち、デューティ比が１／ｎであるとすると、駆動デューティ数はｎとなり、スタティック駆動（１／１）の場合の駆動デューティ数は１となる。
【００１９】
また、本発明の第２の態様は、電極が形成された２枚の透明基板間に第１の液晶を封入してなるフルドット表示用の第１液晶パネルと、電極が形成された２枚の透明基板間に第２の液晶を封入してなるセグメント表示用の第２液晶パネルとを積層配置し、両液晶パネルを駆動させることにより、フルドット表示とセグメント表示とが同時表示可能となるように構成された液晶表示パネルにおいて、前記第１液晶パネルの駆動デューティ数が１００以上とされ、前記第２液晶パネルの駆動デューティ数が前記第１液晶パネルの駆動デューティ数の０．０２倍以上であることを特徴としている。
【００２０】
さらに、第１の態様又は第２の態様において、前記第１の液晶の螺旋方向は前記第２の液晶の螺旋方向の逆であることが好ましい。
【発明の効果】
【００２１】
本発明の液晶表示パネルによれば、セグメントパネルの液晶の輝度の対電圧急峻性をフルドットパネルの液晶の輝度の対電圧急峻性よりも下げることにより、セグメントパネルの駆動電圧設定を簡便なものとする、広めの電圧マージンを確保することができるし、また、セグメントパネルのＯＮ時における輝度ばらつきを抑えて良好な表示品質をえることができる。
【００２２】
また、セグメントパネルにおける駆動デューティ数をフルドットパネルにおける駆動デューティ数の０．０２倍以上に設定し、セグメントパネルのデューティ数を上げることによっても、セグメントパネルの駆動電圧設定を簡便なものとする、広い電圧マージンを確保することができるし、また、セグメントパネルのＯＮ時における輝度ばらつきを抑えて良好な表示品質をえることができる。
【発明を実施するための最良の形態】
【００２３】
以下、本発明の液晶表示パネルの２つの実施形態について説明する。なお、各実施形態の液晶表示パネルにおいて、前述のダブルアクティブ型ＤＳＴＮパネルと同一の構成に関しては説明を省略する。
【００２４】
本発明の液晶表示パネルの第１実施形態としてのダブルアクティブ型ＤＳＴＮパネルは、前記フルドットパネルの駆動デューティ数が１００以上とされており、前記セグメントパネルの液晶層を構成する液晶として、前記フルドットパネルの液晶層を構成する液晶とは螺旋方向が逆であって、しかも前記フルドットパネルの液晶層を構成する液晶よりも低い輝度の対電圧急峻性（シャープネス）を示す液晶が用いられている。
【００２５】
図１は、第１実施形態のダブルアクティブ型ＤＳＴＮパネルにおけるフルドットパネルとセグメントパネルの電圧と輝度との関係を示すグラフである。このグラフに示すように、セグメントパネルの液晶の輝度の対電圧急峻性を低く、フルドットパネルの液晶の輝度の対電圧急峻性を高く設定した本第１実施形態のダブルアクティブ型ＤＳＴＮパネルにおいては、従来に比して、セグメントパネルの駆動電圧設定を簡便なものとする、広めの電圧マージンを確保することができ、また、セグメントパネルのＯＮ時における輝度ばらつきを抑えて良好な表示品質をえることができた。
【００２６】
図２は、第１実施形態のダブルアクティブ型ＤＳＴＮパネルにおけるフルドットパネルとセグメントパネルの輝度の対電圧急峻性の関係についての実験結果を示す表である。
【００２７】
この表に示すように、ダブルアクティブ型ＤＳＴＮパネルを構成するフルドットパネルの駆動条件としてデューティ比を１／１６４Ｄｕｔｙ、輝度の対電圧急峻性を０．９２９とする場合、ＯＮ表示におけるＶｔｈ５０％が１８．８５Ｖ、Ｖｔｈ９０％が１９．２９Ｖであったため、その電圧マージンは０．４４Ｖであった。
【００２８】
これに対し、同じダブルアクティブ型ＤＳＴＮパネルを構成するセグメントパネルにおいて、駆動条件をスタティック（１／１Ｄｕｔｙ）、輝度の対電圧急峻性を同様に０．９２９とする場合、ＯＮ表示におけるＶｔｈ５０％が２．６１Ｖ、Ｖｔｈ９０％が２．６８Ｖであり、その電圧マージンは０．０７Ｖであった。
【００２９】
このように、前述の駆動条件下においてフルドットパネルとセグメントパネルの輝度の対電圧急峻性を同一とすると、電圧マージンには格段の差が生じ、セグメントパネルにおける０．０７Ｖの電圧マージンは狭く、駆動電圧設定が困難で大量生産には不向きなものとなっていた。
【００３０】
しかしながら、前記セグメントパネルの駆動条件をスタティック（１／１Ｄｕｔｙ）とした場合において、その輝度の対電圧急峻性をフルドットパネルの液晶の輝度の対電圧急峻性よりも低く、０．８８３とする場合、ＯＮ表示におけるＶｔｈ５０％が２．７０Ｖ、Ｖｔｈ９０％が２．８２Ｖであり、その電圧マージンは０．１２Ｖとなり、さらに、輝度の対電圧急峻性を０．８１６とする場合、ＯＮ表示におけるＶｔｈ５０％が２．７６Ｖ、Ｖｔｈ９０％が３．０５Ｖであり、その電圧マージンは０．２９Ｖと、幅広いものとなった。
【００３１】
この実験結果からもわかるように、前記セグメントパネルの液晶層を構成する液晶として、前記フルドットパネルの液晶層を構成する液晶とは螺旋方向が逆であって、しかも前記フルドットパネルの液晶層を構成する液晶よりも低い輝度の対電圧急峻性（シャープネス）を示す液晶を用いることにより、セグメントパネルの駆動電圧設定を簡便なものとする、幅の広い電圧マージンを確保することができ、また、セグメントパネルのＯＮ時における輝度ばらつきを抑えて良好な表示品質をえることができるものとなる。
【００３２】
また、本発明の液晶表示パネルの第２実施形態としてのダブルアクティブ型ＤＳＴＮパネルは、前記フルドットパネルの駆動デューティ数が１００以上とされており、前記セグメントパネルにおける駆動デューティ数をフルドットパネルにおける駆動デューティ数の０．０２倍以上に設定されている。
【００３３】
図３は、第２実施形態のダブルアクティブ型ＤＳＴＮパネルにおけるフルドットパネルとセグメントパネルの電圧と輝度との関係を示すグラフである。このグラフに示すように、前記セグメントパネルにおける駆動デューティ数をフルドットパネルにおける駆動デューティ数の０．０２倍以上に設定された本第２実施形態のダブルアクティブ型ＤＳＴＮパネルにおいては、従来に比して、セグメントパネルの駆動電圧設定を簡便なものとする、広めの電圧マージンを確保することができ、また、セグメントパネルのＯＮ時における輝度ばらつきを抑えて良好な表示品質をえることができた。
【００３４】
図４は、第２実施形態のダブルアクティブ型ＤＳＴＮパネルにおけるフルドットパネルとセグメントパネルのデューティ数の関係についての実験結果を示す表である。
【００３５】
この表に示すように、ダブルアクティブ型ＤＳＴＮパネルを構成するフルドットパネルの駆動条件を１／１６４Ｄｕｔｙとした場合、ＯＮ表示におけるＶｔｈ５０％は１８．８５Ｖ、Ｖｔｈ９０％は１９．２９Ｖであったため、その電圧マージンは０．４４Ｖであった。なお、この場合における−３０℃の環境下においてＯＦＦからＯＮ、ＯＮからＯＦＦとするその応答速度は６９００ｍｓであった。
【００３６】
これに対し、同じダブルアクティブ型ＤＳＴＮパネルを構成するセグメントパネルで、その駆動条件をスタティック（１／１Ｄｕｔｙ）とする場合においては、駆動電圧は２．６５Ｖ、ＯＮ表示におけるＶｔｈ５０％は２．６１Ｖ、Ｖｔｈ９０％が２．６８Ｖであったため、その電圧マージンは０．０７Ｖと極めて狭いものであり、駆動電圧設定が困難で大量生産には不向きなものとなっていた。なお、この場合における−３０℃の環境下においてＯＦＦからＯＮ、ＯＮからＯＦＦとするその対応速度は４７５０ｍｓであった。
【００３７】
次に、同じダブルアクティブ型ＤＳＴＮパネルを構成するセグメントパネルで、その駆動条件を１／２Ｄｕｔｙとする場合においては、駆動電圧は３．３０Ｖ、ＯＮ表示におけるＶｔｈ５０％は３．２７Ｖ、Ｖｔｈ９０％が３．３６Ｖであったため、その電圧マージンは０．０９Ｖと、若干電圧マージンは広がったが、未だ、電圧設定を簡便なものとする程のものではない。なお、この場合における−３０℃の環境下においてＯＦＦからＯＮ、ＯＮからＯＦＦとするその対応速度は４９００ｍｓであった。
【００３８】
また、同じダブルアクティブ型ＤＳＴＮパネルを構成するセグメントパネルで、その駆動条件を１／３Ｄｕｔｙとする場合においては、駆動電圧は４．１０Ｖ、ＯＮ表示におけるＶｔｈ５０％は４．０６Ｖ、Ｖｔｈ９０％が４．１７Ｖであったため、その電圧マージンはさらに広がって０．１１Ｖとなり、電圧設定において最低必要と考えられる０．１Ｖの電圧マージンを確保することができた。なお、この場合における−３０℃の環境下においてＯＦＦからＯＮ、ＯＮからＯＦＦとするその対応速度は４９００ｍｓであり、良好なものであった。
【００３９】
さらに、同じダブルアクティブ型ＤＳＴＮパネルを構成するセグメントパネルで、その駆動条件を１／４Ｄｕｔｙとする場合においては、駆動電圧は４．５０Ｖ、ＯＮ表示におけるＶｔｈ５０％は４．４７Ｖ、Ｖｔｈ９０％が４．６１Ｖであったため、その電圧マージンは０．１４Ｖとなった。なお、この場合における−３０℃の環境下においてＯＦＦからＯＮ、ＯＮからＯＦＦとするその対応速度は４９５０ｍｓであった。
【００４０】
続いて、同じダブルアクティブ型ＤＳＴＮパネルを構成するセグメントパネルで、その駆動条件を１／８Ｄｕｔｙとする場合においては、駆動電圧は６．２０Ｖ、ＯＮ表示におけるＶｔｈ５０％は６．１４Ｖ、Ｖｔｈ９０％が６．３３Ｖであったため、その電圧マージンはさらに広がって０．１９Ｖとなった。なお、この場合における−３０℃の環境下においてＯＦＦからＯＮ、ＯＮからＯＦＦとするその対応速度は４９００ｍｓであり、良好なものであった。
【００４１】
そして、同じダブルアクティブ型ＤＳＴＮパネルを構成するセグメントパネルで、その駆動条件を１／１６Ｄｕｔｙとする場合においては、駆動電圧は８．４０Ｖ、ＯＮ表示におけるＶｔｈ５０％は８．３０Ｖ、Ｖｔｈ９０％が８．５５Ｖであったため、その電圧マージンはさらに広がって０．２５Ｖとなった。なお、この場合における−３０℃の環境下においてＯＦＦからＯＮ、ＯＮからＯＦＦとするその対応速度は４９００ｍｓであり、良好なものであった。
【００４２】
最後に、同じダブルアクティブ型ＤＳＴＮパネルを構成するセグメントパネルで、その駆動条件を１／３２Ｄｕｔｙとする場合においては、駆動電圧は１１．８０Ｖ、ＯＮ表示におけるＶｔｈ５０％は１１．７２Ｖ、Ｖｔｈ９０％が１２．０７Ｖであったため、その電圧マージンはさらに広がって０．３５Ｖとなった。なお、この場合における−３０℃の環境下においてＯＦＦからＯＮ、ＯＮからＯＦＦとするその対応速度は５１００ｍｓであった。
【００４３】
このような実験結果から、セグメントパネルのデューティ数をあげることにより、電圧マージンを確保することができることが証明された。特に、この実験結果によれば、１／３Ｄｕｔｙ以上で、セグメントパネルにおける電圧マージンとして最低限必要であると考えられる０．１Ｖを確保することができることがわかった。なお、セグメントパネルのデューティ数をフルドットパネルのデューティ数に近づければ近づけるほど、応答速度は遅くなるが、本実験の場合においては１／１６Ｄｕｔｙ程度まで（５０００ｍｓ以下）であれば、表示上の応答速度に問題はない。
【００４４】
また、図５は、フルドットパネルを１／２４０Ｄｕｔｙ、１／１８０Ｄｕｔｙ、１／１００Ｄｕｔｙ、そして１／６４Ｄｕｔｙの４種類（液晶材料が異なる）とし、これらの各フルドットパネルに対し、スタティック、１／２Ｄｕｔｙ、１／３Ｄｕｔｙ、１／４Ｄｕｔｙ、１／５Ｄｕｔｙ、１／８Ｄｕｔｙ、１／１６Ｄｕｔｙ、及び１／３２Ｄｕｔｙの７種類のセグメントパネルを用いた場合のそれぞれの電圧マージンを測定した実験結果を示す表である。
【００４５】
この実験により、セグメントパネルにおける電圧マージンとして最低限必要であると考えられる０．１Ｖを確保することができるのは、１／２４０Ｄｕｔｙのフルドットパネル（０．５３Ｖ）に対しては１／５Ｄｕｔｙ以上のセグメントパネル、１／１８０Ｄｕｔｙのフルドットパネル（０．５４Ｖ）に対しては１／４Ｄｕｔｙ以上のセグメントパネル、１／１００Ｄｕｔｙのフルドットパネル（０．５７Ｖ）に対しては１／２Ｄｕｔｙ以上のセグメントパネル、そして１／６４Ｄｕｔｙのフルドットパネル（０．６２Ｖ）に対してはスタティック以上の全セグメントパネルであることが証明された。
【００４６】
図６は、この実験結果の対数関数を示すグラフであり、このグラフに示すように、セグメントパネルの駆動デューティ数がフルドットパネルの駆動デューティ数の０．０２倍以上となるように設定することにより、０．１Ｖ以上の電圧マージンが得られることが証明された。
【００４７】
なお、本発明は、前述した実施の形態に限定されるものではなく、必要に応じて種々の変更が可能である。
【００４８】
本発明に係る液晶表示パネルはフルドット表示とセグメント表示とが同時に表示される態様に限定されず、各表示が単独で表示される態様も含む。
【図面の簡単な説明】
【００４９】
【図１】第１実施形態のダブルアクティブ型ＤＳＴＮパネルにおけるフルドットパネルとセグメントパネルの電圧と輝度との関係を示すグラフ
【図２】第１実施形態のダブルアクティブ型ＤＳＴＮパネルにおけるフルドットパネルとセグメントパネルの輝度の対電圧急峻性の関係についての実験結果を示す表
【図３】第２実施形態のダブルアクティブ型ＤＳＴＮパネルにおけるフルドットパネルとセグメントパネルの電圧と輝度との関係を示すグラフ
【図４】第２実施形態のダブルアクティブ型ＤＳＴＮパネルにおけるフルドットパネルとセグメントパネルのＤｕｔｙ数の関係についての実験結果を示す表
【図５】４種のフルドットパネル（液晶材料が異なる）に対し、８種のセグメントパネルを用いた場合のそれぞれの電圧マージンを測定した実験結果を示す表
【図６】図５の実験結果の対数関数を示すグラフ
【図７】一般的なＤＳＴＮ型の液晶表示パネルの要部構成を示す断面図
【図８】ダブルアクティブ型ＤＳＴＮパネルの要部構成を示す断面図
【図９】従来のフルドットパネルとセグメントパネルの電圧と輝度との関係を示すグラフ
【図１０】従来のフルドットパネルとセグメントパネルの電圧と輝度との関係を示すグラフ
【符号の説明】
【００５０】
１  透明基板
２  補償パネル
３  電極端子
４  表示パネル
４１  表示パネル（セグメントパネル）
４２  表示パネル（フルドットパネル）
５  偏光板
６  シール材
【図１】
2006126677.tif 000003
【図２】
2006126677.tif 000004
【図３】
2006126677.tif 000005
【図４】
2006126677.tif 000006
【図５】
2006126677.tif 000007
【図６】
2006126677.tif 000008
【図７】
2006126677.tif 000009
【図８】
2006126677.tif 000010
【図９】
2006126677.tif 000011
【図１０】
2006126677.tif 000012